(57)【要約】    【課題】深いタナを設定することができると共に、魚の取り込み作業を容易に行うことができる浮きの提供。    【解決手段】この浮き２０は、浮き本体２１と糸保持具２２とを有する。浮き本体２１は糸挿通孔２４を備えた中通しタイプである。糸保持具２２は、釣糸を一定の保持力で保持する。糸保持具２２は、糸挿通孔２４の開口部３０の近傍に設けられている。糸保持具２２は、略Ｖ字状に形成された保持部２７を備える。保持部２７は、糸挿通孔２４の長手方向に対して角度θで交差するように配置されている。【選択図】図１
2005168407.tif 000002
【特許請求の範囲】
【請求項１】
釣糸が挿通される糸挿通孔が設けられた浮き本体と、
糸挿通孔に挿通された釣糸を一定の保持力で仮保持する糸保持部とを備えた釣用浮き。
【請求項２】
上記糸保持部は、上記糸挿通孔の開口部に隣接して設けられている請求項１に記載の釣用浮き。
【請求項３】
上記糸保持部は、上記浮き本体に突設された略Ｖ字状部材からなる請求項１または２に記載の釣用浮き。
【請求項４】
上記糸保持部は、上記糸挿通孔の長手方向に対して角度θ（０°≦θ≦９０°）で交差するように設けられている請求項３に記載の釣用浮き。
【発明の詳細な説明】
【技術分野】
【０００１】
本発明は、釣りの際に使用される浮きの構造に関するものである。
【背景技術】
【０００２】
釣りのジャンルに「浮き釣り」というものがある。浮き釣りは、文字通り「浮き」と称されるアイテムを用いて魚を釣ろうとするものである。図５は、一般的な浮き釣りの仕掛けによる釣りの様子を示す模式図である。
【０００３】
同図が示すように浮き釣りでは、仕掛け１は、道糸２と、連結具７（通常「サルカン」と称される。）を介して道糸２に連結されたハリス３と、ハリス３の先端に設けられた釣針４と、道糸２に装着された浮き５とを有する。浮き５はいわゆる中通しタイプのものであって、道糸２が浮き５の内部に挿通されている（例えば、非特許文献１参照）。これにより、浮き５は、道糸２に沿って自在にスライドすることができるようになっている。ただし、一般に道糸２には浮止具８が設けられ、したがって浮き５は、サルカン７と浮止具８との間でスライドする。
【０００４】
このように構成された仕掛け１が海中に投入されると、釣針４、ハリス３、サルカン７等に作用する重力によって釣針４等が海中に沈んでいき、道糸２が海面６に浮かんだ浮き５に対して相対的に矢印１０の方向に沿ってスライドする。そして、図６が示すように、道糸２に設けられた浮止具８が浮き５に当接した時点で、当該仕掛け１が海中で安定する。この状態において、浮き５から釣針４までの距離は、特に「タナ」と称される。このタナは、釣人が予想する魚のヒットポイントであり、このタナの調整（すなわち、浮止具８の位置調整）が釣果の善し悪しに大きく影響する。なお、仕掛け１が海中で安定的に配置されるために、ハリス３には、錘９（通常「ガン玉」と称される。）が適宜装着されることもある。
【０００５】
ところで、海上の状況は刻々と変化し、場合によっては潮流が速くなり、また風が強くなることもある。特に風が強くなった場合には、道糸２は、釣人が持つ釣用リールから長く引き出されていることから、当該道糸２が風によって引っ張れてしまい、その結果、仕掛け１が海中で安定しない（つまり、釣針４が釣人の所望の水深位置まで沈まない）という不都合がある。かかる不都合を解決するために、浮き５を道糸２に固定するという手段がある。すなわち、浮き５が浮止具８の位置に固定されれば、浮き５から下側の部分は、風の影響を受けずに海中に沈むので、釣針４は、釣人の所望の水深位置まで沈むことができる。
【０００６】
【非特許文献１】株式会社シマノ  ２００３年  ウキ釣りガイドブック
【発明の開示】
【発明が解決しようとする課題】
【０００７】
しかしながら、浮き５が道糸２に固定されると、魚がヒットしたときの取り込み作業が困難となり、場合によっては取り込み作業が不可能となる。なぜなら、道糸２は、浮き５が釣竿の先端に達するまでしか巻き取れないからである。詳述すると、釣人が例えば５ｍの釣竿を使用し、タナを５ｍに設定したとすると、浮き５が道糸２に固定されていることから、道糸２は最大限浮き５が釣竿の先端に達するまで巻き取られるが、その状態で浮き５から魚までの距離が５ｍとなる。しかも、このとき当該釣竿は大きく湾曲されるから、当該魚を取り込むことは困難である。さらに、仮にタナが１０ｍに設定された場合は、取り込み作業はきわめて困難であり、ほぼ不可能に近い。
【０００８】
そこで、本発明の目的は、釣人が所望の深いタナを設定することができると共に、魚がヒットしたときの取り込み作業を容易に行うことができる釣用浮きを提供することである。
【課題を解決するための手段】
【０００９】
(1) 上記目的が達成されるため、本発明に係る釣用浮きは、釣糸が挿通される糸挿通孔が設けられた浮き本体と、糸挿通孔に挿通された釣糸を一定の保持力で仮保持する糸保持部とを備えたことを特徴とするものである。
【００１０】
この構成によれば、糸挿通孔に挿通された釣糸が糸保持部によって保持されるので、当該釣用浮きは、釣糸に一定の保持力で位置決めされる。すなわち、釣用浮きは、釣糸に対して釣人が所望する位置に固定され、この状態で仕掛けと共に海中に投入される。一方、釣人がヒットした魚を取り込むときに、又は仕掛けを回収するときには、釣糸は強く引っ張られるので、当該釣糸が上記糸保持部から外れる。これにより、釣用浮きは、釣糸に沿って仕掛けの下方（釣針が設けられた側）に移動することができるので、釣用浮きから釣針までの距離が小さくなる。したがって、魚の取り込み作業及び仕掛けの回収作業が容易になる。
【００１１】
(2) 上記糸保持部は、上記糸挿通孔の開口部に隣接して設けられているのが好ましい。この構成では、釣糸は糸挿通孔を挿通するものであるところ、当該糸挿通孔を挿通した釣糸がそのまま簡単迅速に糸保持部によって保持される。つまり、釣人にとって、釣糸を糸保持部に係合させる作業が簡単である。
【００１２】
(3) 上記糸保持部は、上記浮き本体に突設された略Ｖ字状部材から構成され得る。糸保持部がかかる形状に形成されることによって、釣人は、釣糸を糸保持部に簡単に引っ掛けることができ、釣糸を糸保持部に係合させる作業が一層簡単になる。しかも、糸保持部がきわめて簡単な構造となるので、釣用浮きがコスト安価に製造されるという利点もある。
【００１３】
(4) 上記糸保持部は、上記糸挿通孔の長手方向に対して角度θ（０°≦θ≦９０°）で交差するように設けられているのが好ましい。この構成では、糸保持部が浮き本体から径方向外方に突出することになるので、釣人にとって、釣糸を糸保持部に係合させる作業がより一層簡単になる。
【発明の効果】
【００１４】
以上のように本発明によれば、釣糸が糸保持部に保持されることによって釣用浮きが釣糸に対して固定されるので、実釣において釣人は、いわゆる固定浮き仕様で仕掛けを投入することができる。したがって、釣人は、例えば強風時においても所望の深いタナを設定することができる。また、仕掛けの投入時に深いタナが設定されていたとしても、魚の取り込み作業時及び仕掛けの回収作業時においては、釣糸が引っ張られて糸保持部から離脱するので、釣人は、取り込み作業及び回収作業を容易に行うことができる。
【発明を実施するための最良の形態】
【００１５】
以下、適宜図面が参照されつつ、好ましい実施形態に基づいて本発明が詳細に説明される。
【００１６】
図１は、本発明の一実施形態にかかる釣用浮き（以下、単に「浮き」と称される。）の断面図である。
【００１７】
この浮き２０は、浮き本体２１と糸保持具２２とを備えた中通しタイプのものであって、主として浮きフカセ釣りに使用される。
【００１８】
浮き本体２１は、例えば木材や樹脂等により構成されている。浮き本体２１の外形形状は、本実施形態では同図が示すような略卵形に形成されているが、かかる形状に限定されるものではなく、紡錘形、円錐形等さまざまな形状が採用され得る。浮き本体２１には、その長手方向中心軸に沿って貫通孔が形成されており、この貫通孔にスリーブ２３が嵌め込まれている。
【００１９】
スリーブ２３は、樹脂、金属等により構成されており、円筒状に形成されている。スリーブ２３の外径寸法は上記貫通孔の内径寸法に対応されており、スリーブ２３は、浮き本体２１に隙間無くぴったりと嵌め込まれている。このスリーブ２３は、釣糸が挿通される糸挿通孔２４を構成しており、釣糸は、滑らかに浮き本体２１内をスライドすることができるようになっている。
【００２０】
なお、浮き本体２１の下部には、浮力調整用錘２５が嵌め込まれている。浮力調整用錘２５は、真鍮、鉛、タングステン合金等の比較的比重が大きい金属からなり、円筒状に形成されている。本実施形態では、浮力調整用錘２５の内径寸法は、上記スリーブ２３の外径寸法に対応されており、浮力調整用錘２５は、スリーブ２３の外側に嵌め込まれた状態で浮き本体２１に埋設されている。
【００２１】
図２は、糸保持具２２の斜視図である。
糸保持具２２は、アルミニウム合金やステンレススチール等の金属や樹脂等により構成されており、基部２６と、略Ｖ字状に形成された保持部２７（糸保持部）とを備えている。これら基部２６及び保持部２７は、断面が円形の棒状部材からなり、同図が示すように一体的に形成されている。基部２６は、真直な棒状に形成され、その長さ寸法ａは、０．５ｍｍ〜１．０ｍｍに設定されている。また、保持部２７は、一対の真直な棒状部材２８、２９からなり、両者の基端部同士が連結されている。これら棒状部材２８、２９の長さ寸法ｂは、０．５ｍｍ〜１．０ｍｍに設定され、互いの先端部同士は、寸法ｃだけ離反している。この寸法ｃは、０．５ｍｍ〜２．５ｍｍに設定されている。
【００２２】
そして、上記基部２６が上記浮き本体２１に嵌め込まれて固定されており、保持部２７が浮き本体２１の周面から外方に突出している。この場合、浮き本体２１に基部２６が嵌め込まれる凹部が形成され、当該凹部に基部２６が接着剤等を介して固着されるのが好ましい。なお、本実施形態では、糸保持具２２が確実に浮き本体２１に固定されるために、上記基部２６が設けられているが、基部２６が省略され、保持部２７のみが強力な接着剤により浮き本体２１の周面に接着されていてもよい。
【００２３】
また、保持部２７は、上記糸挿通孔２４の長手方向に対して所定の角度で交差するように配置されている。具体的には、図１が示すように、保持部２７は、糸挿通孔２４の長手方向Ｎに対して角度θをなすように斜め下方に突出している。この角度θは、０°（ｄｅｇｒｅｅ）〜９０°の範囲で適宜設定され得る。
【００２４】
さらに、本実施形態では、糸保持具２２は、浮き本体２１の下端部に配置されている。具体的には、保持部２７は、上記糸挿通孔２４の下側開口部３０に隣接して配置されており、糸挿通孔２４の中心から寸法ｄの位置に設けられている。この寸法ｄは、０．５ｍｍ〜５．０ｍｍに設定される。
【００２５】
図３は、本実施形態に係る浮き２０が採用されたフカセ釣りの仕掛けの態様を示す模式図である。
釣糸３１は、釣竿３２に取り付けられたリール３３から繰り出されており、釣竿３２に案内されている。釣糸３１は、浮き２０の内部に挿通し、サルカン３４を介してハリス３５と連結されている。なお、ハリス３５の先端には釣針３６が取り付けられている。
【００２６】
釣糸３１の所定位置には浮止具３７が取り付けられている。したがって、浮き２０は、釣糸３１に対して浮止具３７とサルカン３４との間で自在にスライド移動することができる。ここで、浮止具３７の位置は、いわゆるタナが釣竿３１の長さよりも深くなるように設定されており、釣糸３１の所定部３８は、浮き２０の糸保持具２２によって保持されている。
【００２７】
図４は、図３における要部拡大図であり、浮き２０が配置された部分の構成が詳細に図示されている。
同図が示すように、浮き２０に挿通され、糸挿通孔２４の下側開口部３０から外部に導き出された釣糸３１は、糸保持具２２の保持部２７に掛け回される。保持部２７は、略Ｖ字状に形成されているから、釣糸３１は、保持部２７に挟み込まれて一定の保持力で保持される。ただし、この保持力は非常に弱いものであるから、釣糸３１が保持部２７によって保持されることによって、浮き２０は一応釣糸３１に対して仮止めされる。
【００２８】
本実施形態では、釣糸３１への浮き２０の仮止めを確実なものとするために、釣糸３１３には係止片３９が取り付けられている。この係止片３９は、ナイロン糸等から構成される。具体的には、例えば２本のナイロン糸が釣糸３１にダブルＶ字ノットにより結び付けられることにより、係止片３９が構成される。このように、ダブルＶ字ノットにより結び付けられた係止片３９は、２本のヒゲ４０、４１が突出するが、このヒゲ４０、４１が上記保持部２７に引っ掛かり、これにより、浮き２０の仮止めが確実なものとなる。なお、ナイロン糸からなる係止片３９に代えて小さなゴム管が釣糸３１に取り付けられていてもよい。要するに、釣糸３１が確実に保持部２７によって保持されればよい。もっとも、このようなゴム管や上記係止片３９は省略されてもよい。
【００２９】
このように本実施形態に係る浮き２０では、図４が示すように、糸挿通孔２４から出た釣糸３１が保持部２７によって保持されるので、浮き２０は、釣糸３１に一定の保持力で位置決めされる。すなわち、図１が示すように、浮き２０は、予めタナが深く設定された状態で仕掛けと共に海中に投入される。したがって、実釣時において風が強く、釣糸３１が風によって引っ張られ易い状況においても、釣人が意図した所望のタナが確実に実現される。一方、魚がヒットし、これを取り込む作業が行われる場合、又は釣人が仕掛けを回収するときには、釣糸３１が強く引っ張られるので、釣糸３１は保持部２７から外れる。これにより、浮き２０は、釣糸３１に沿ってサルカン３４の位置までスライドすることができる。すなわち、浮き２０から釣針３６までの距離が小さくなり、釣人は、釣糸３１をより多くリール３３に巻き取ることができるので、魚の取り込み作業及び仕掛けの回収作業も容易に行うことができる。
【００３０】
特に、本実施形態では、上記保持部２７が糸挿通孔２４の下側開口部３０の近傍に設けられているので、糸挿通孔２４から出た釣糸３１は、そのまま簡単迅速に保持部２７によって保持される。したがって、釣人にとって、釣糸３１を保持部２７に係合させる作業が簡単であるという利点がある。
【００３１】
また、上記保持部２７は、略Ｖ字状に形成されているから、釣人は、釣糸３１を保持部２７を構成する棒状部材２８、２９（図２参照）間に挿通するだけで簡単に引っ掛けることができるという利点もある。しかも、保持部２７がきわめて簡単な構造となるので、浮き２０の製造コストが大幅に上昇することがないという利点もある。
【００３２】
さらに、上記保持部２７は、糸挿通孔２４の長手方向に対して上記角度θで交差するように設けられていることから、保持部２７が浮き本体２１から径方向外方に突出している。したがって、釣人にとって、釣糸３１を保持部２７に係合させる作業がより一層簡単になるという利点もある。
【００３３】
なお、本実施形態では、簡単且つ安価な製造の観点から釣糸３１を保持するために糸保持具２２が採用され、保持部２７が略Ｖ字状に形成されているが、釣糸３１を保持するための手段としてはこれに限定されるものではなく、他の種々の手段が採用され得る。要するに、釣糸３１が一定の保持力（特に、仕掛けが投入される際に釣糸３１が浮き２０から外れない程度の保持力）が確保されれば十分である。
【産業上の利用可能性】
【００３４】
本発明は、特にフカセ釣りに採用される浮きに適用され得る。
【図面の簡単な説明】
【００３５】
【図１】図１は、本発明の一実施形態にかかる浮きの断面図である。
【図２】図２は、本発明の一実施形態にかかる浮きの糸保持具の斜視図である。
【図３】図３は、本実施形態に係る浮きが採用されたフカセ釣りの仕掛けの態様を示す模式図である。
【図４】図４は、図３における要部拡大図である。
【図５】図５は、一般的な浮き釣りの仕掛けによる釣りの様子を示す模式図である。
【図６】図６は、浮き釣りの仕掛けが海中で安定した状態を示す模式図である。
【符号の説明】
【００３６】
２０・・・浮き
２１・・・浮き本体
２２・・・糸保持具
２３・・・スリーブ
２４・・・糸挿通孔
２７・・・保持部
２８・・・棒状部材
２９・・・棒状部材
３０・・・下側開口部
３１・・・釣糸
３２・・・釣竿
３３・・・リール
３４・・・サルカン  
３６・・・釣針
３７・・・浮止具
３９・・・係止片
【図１】
2005168407.tif 000003
【図２】
2005168407.tif 000004
【図３】
2005168407.tif 000005
【図４】
2005168407.tif 000006
【図５】
2005168407.tif 000007
【図６】
2005168407.tif 000008